(57)【要約】【課題】間仕切り壁に組み込まれる板材を支持する縦横の枠材を、その下側に位置する壁パネル上面との間に隙間を生じさせることなく接合して間仕切り壁の外観を綺麗に納め、枠材同士の連結を簡易な作業で行えるようにする。【解決手段】縦枠と横枠を端部同士を交差させて一体に接続する連結具を介して連結する。連結具８は、上面８１を縦枠３の端部が継ぎ合わさる外形状に形成し、側面８２を横枠４の端部外周縁が接合する外形状に形成し、上面８１には縦枠３の端部が外嵌合する突部８３、８３を設け、側面８２にはビス７の通孔８４を設けて形成し、側面８２に当接させた横枠４の端部に通孔８４からビス７を螺子入れて横枠４に一体に留め付け、上面８１の突部８３、８３に縦枠３の端部を嵌合させて固定することにより、横枠４の端部上面に縦枠３の端部が当接して接続するように構成する。【選択図】図１
2008082001.tif 000002
【特許請求の範囲】
【請求項１】
間仕切り壁の支柱に沿って取り付けられる縦枠とこれと交差する横枠を接続する連結具において、
上面が縦枠の端部が継ぎ合わせ可能な外形状に形成され、側面が横枠の端部外周縁が接合する外形状に形成されているとともに、前記上面に前記縦枠の端部が外嵌合する突部を設け、前記側面にビスの通孔を設けて形成されており、
前記側面に当接させた横枠の端部に通孔からビスを螺子入れて横枠に一体に留め付けるとともに、前記上面の突部に縦枠の端部を嵌合させて固定することにより、横枠の端部上面に縦枠の端部が当接して接続するように構成された間仕切り壁の枠材連結具。
【発明の詳細な説明】
【技術分野】
【０００１】
本発明は、間仕切り壁に組み込まれるガラス材や欄間材などの板材を支持する枠材の連結具に関し、支柱に沿って取り付けられる縦枠とこれと交差する横枠をコーナー部で接続する構成のものに関する。
【背景技術】
【０００２】
床面に立て並べた支柱に沿って壁パネルを多段に並設して構成される間仕切り壁において、壁面の一部、例えば腰の高さから上方の壁面や天井に近い壁面などに、ガラス材や欄間材などの板材を組み込んで構成する場合がある（例えば特許文献１、２参照）。
【０００３】
このような板材は、壁パネルに代えて取り付けられる枠体で壁面内に支持されるようになっている。例えば図６は、ガラス材を支持する場合の枠体の構成を示しており、この枠体１は、内側にガラスパッキンが装着される二条の凹溝２、２が形成された縦枠３、３と横枠４、４とを、下側壁パネル５の上面で互いに端部を交差させて支柱６、６の間に矩形に組み付け、縦枠３の外側から螺子入れたビス７を横枠４の端部に留め付けて構成し、前記凹溝２、２に装着したガラスパッキンでガラス材の周縁を挟着して支持するように設けてある。なお、ガラスパッキン、ガラス材及び他方の支柱の図示は省略してある。
【０００４】
【特許文献１】特開平８−６０７６７号公報
【特許文献２】特開２００４−２３２３１１号公報
【発明の開示】
【発明が解決しようとする課題】
【０００５】
図示したガラス材を支持する枠体１にあっては、縦枠３の下端部を横枠４の端部にビス７で留め付けたときに、両枠３、４の端面が上下に食い違って接合し易く、図７に示されるように、縦枠３の下端部と下側壁パネル５の上面５１との間に段差の如き隙間（Ｄ）ができているように見えることがあった。このような隙間からは、枠体端部のアルミの生地が見えてしまい、間仕切り壁の外観上の見栄えを損なわせていた。また、縦枠３と横枠４は互いの端部接合部をビス留めして連結しているが、ともに長尺の枠材であるため、組み立てがし難く、取り付けに手間がかかるという問題があった。
【０００６】
本発明は従来技術の有するこのような問題点に鑑み、間仕切り壁に組み込まれる板材を支持する縦横の枠材を、その下側に位置する壁パネル上面との間に隙間を生じさせることなく接合して間仕切り壁の外観を綺麗に納めるとともに、枠材同士の連結を簡易な作業で行えるようにすることを課題とする。
【課題を解決するための手段】
【０００７】
前記課題を解決するため本発明は、縦枠と横枠が交差し、下側壁パネルの上面との間に隙間ができ易いコーナー部に連結具を設け、この連結具を介して縦枠と横枠の端部同士が交差して一体に接続するように構成した。
より具体的には、本発明は、間仕切り壁の支柱に沿って取り付けられる縦枠とこれと交差する横枠を接続する連結具において、上面が縦枠の端部が継ぎ合わさる外形状に形成され、側面が横枠の端部外周縁が接合する外形状に形成されているとともに、前記上面に前記縦枠の端部が外嵌合する突部を設け、前記側面にビスの通孔を設けて連結具を形成し、前記側面に当接させた横枠の端部に通孔からビスを螺子入れて横枠に一体に留め付けるとともに、前記上面の突部に縦枠の端部を嵌合させて固定することにより、横枠の端部上面に縦枠の端部が当接して接続するように構成した。
【０００８】
これによれば、横枠の端部に連結具がビスで留め付けられ、下側壁パネルの上面には横枠とともに連結具の下面が接合する。連結具は、その側面が横枠の端部がきっちりと接合し得るように形成されており、横枠端部及び下側壁パネルとの接合位置を正確に位置出しして固定されるので、横枠端部に対して接合位置が上下に食い違うようなことはなく、下面を下側壁パネルの上面にぴったりと密着させて取り付け、縦横の枠材が交差するコーナー部を隙間のない綺麗な外観のものに納めることができる。
また、縦枠は、その下端部を連結具の上面に突出した突部に上方から差し込んで嵌合させることにより固定されるので、縦横の枠材の連結を簡易な作業によって行うことが可能である。連結具の側面に接合した横枠の端部に、突部に嵌合させた縦枠の下端部が上方から当接するため、縦横の枠材を正確に直交させて連結することができる。
なお、連結具は、その材質として例えばＡＢＳ樹脂などを用い、縦横の枠材と同色に形成することができる。
【発明を実施するための最良の形態】
【０００９】
本発明の好適な一実施形態を図面を参照して説明する。
図１は本発明の一実施形態の連結具の正面側と背面側の外観図、図２は図１の連結具の上面図、図３は同じく連結具の中央縦断面図、図４は図１の連結具を用いて縦枠と横枠を連結する構成を示した図、図５は図１の連結具を用いて連結した縦枠と横枠のコーナー部の外観を示した図である。各図において前記従来例の間仕切り壁と同一の構成部材には同一の符号を付してある。
【００１０】
図１〜図３に示されるように、本形態の連結具８は、適宜な高さ及び厚みの板材を平面視略々コ字形に屈曲させた形状を呈しており、その上面に適宜な高さの突部８３、８３を一体に突設させて形成してある。
より詳しくは、連結具８は、一側が支柱６の外周半面が挿入可能な幅だけ切り欠かれており、上面８１が縦枠３の下端部が面一に継ぎ合う外形状に形成され、側面８２は横枠４の端部がぴったりと当接するように当該端部外周縁に沿った外形状に形成してある。
【００１１】
前記上面８１に設けた突部８３、８３は、それぞれ連結具８の長手両側の上面から外周面を若干内傾斜させつつ上方へ適宜な高さで突出させてあり、上方から縦枠３の下端部を差し込むと、当該下端部の内周面が突部８３、８３の外周面に圧密に外嵌合して縦枠３を連結具８に固定できるように設けてある。また、前記側面８２の中央にはビス７が挿通する通孔８４を設けてある。
【００１２】
連結具８は、図２及び図３に示されるように、側面８２の中央下端部を下側壁パネル５の上面の設けた凹部５２に没入させた状態で、その長手両側の下面が下側壁パネル５の上面５１に載って接合するように形成されており、また、横枠４の端部にビス７で留め付けた連結具８に縦枠３を嵌合固定させると、横枠４の端部上面に縦枠３の下端部が当接して両端部が直交するように設けてある。
【００１３】
このように形成された連結具８によれば、図４に示されるように、下側壁パネル５の上面５１に載せた横枠４の端部に側面８２を接合し、通孔８４からビス７を横枠４の端部に設けたネジ孔４１に螺子入れて、連結具８を横枠４の端部に一体に留め付け、突部８３、８３に上方から縦枠３の下端部を嵌合させることにより、縦枠３と横枠４を一体に連結することができる。そして、対向する縦枠３、３の内面間に上側の横桟４の装着し、縦枠３の外側から螺子入れたビス７を上側横枠４の端部に螺子入れて留め付けることにより、ガラス材を支持する矩形の枠体１が構成される。
【００１４】
連結具８により連結された縦枠３と横枠４は、互いに端部同士を直交させて連結具８の上面８１と側面８２とに支持され、また、連結具８は、図５に示されるように、横桟４とともに下面を下側壁パネル５の上面５１にぴったりと接合させて取り付けられ、縦枠３と横枠４が交差する枠体１のコーナー部の外観を、隙間のない綺麗なものに納めることが可能である。
【００１５】
なお、以上の説明では、縦枠の下端部に横枠の端部を連結具で連結する形態を示したが、縦枠の上端部に横枠の端部を連結する態様にも本発明の連結具を用いることができ、また、欄間材などのガラス材以外の板材を支持する枠材同士の連結にも用いることが可能である。図示した連結具及び縦横の枠材の形態は一例であり、本発明はこれに限定されず、他の適宜な形態で構成可能である。
【図面の簡単な説明】
【００１６】
【図１】本発明の一実施形態の連結具の正面側（Ａ）と背面側（Ｂ）の外観図である。
【図２】図１の連結具の上面図である。
【図３】図１の連結具の中央縦断面図である。
【図４】図１の連結具を用いて縦枠と横枠を連結する構成を示した図である。
【図５】図１の連結具を用いて連結した縦枠と横枠のコーナー部の外観を示した図である。
【図６】従来の間仕切り壁に組み込まれる縦枠と横枠を連結する構成を示した図である。
【図７】図６に示した連結構成における縦枠と横枠のコーナー部の外観を示した図である。
【符号の説明】
【００１７】
１  枠体、２  凹溝、３  縦枠、４  横枠、５  下側壁パネル、６  支柱、７  ビス、８  連結具、８１  上面、８２  側面、８３  突部、８４  通孔
【図１】
2008082001.tif 000003
【図２】
2008082001.tif 000004
【図３】
2008082001.tif 000005
【図４】
2008082001.tif 000006
【図５】
2008082001.tif 000007
【図６】
2008082001.tif 000008
【図７】
2008082001.tif 000009